【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
細長本体のベース部における第一開口部から、該細長本体のネック部を通って、該細長本体の先端部における第二開口部へ延びる第一チャネルを画定する該細長本体と、
該細長本体の該ネック部付近にある該第一チャネルから、側方本体の遠位端の第三開口部へ延びる第二チャネルを画定する該側方本体と
を有するキャップであって、
該先端部の末端は、人体の開口部に受容されるように適応された様式で傾き、
該キャップは、
該ベース部における該第一開口部の中心を通る長手方向軸と、
該第一チャネルと該第二チャネルとを通る第一平面と
を画定し、
該第一平面における該細長本体の外側表面の第一部分が、該長手方向軸に対して第一鋭角を形成し、該細長本体の該外側表面の第二部分が、該第一平面内における該側方本体の外側表面に対して第二鋭角を形成し、該第二部分は、該細長本体の該外側表面の該第一部分とは正反対にあり、
該ベース部は、手持ち容器に結合するように適応されている、キャップ。
【請求項２】
前記第一チャネルが、前記ネック部に対して前記先端部内で縮径を有する、請求項１に記載のキャップ。
【請求項３】
前記第二チャネルの直径が前記第一チャネルの直径より小さい、請求項２に記載のキャップ。
【請求項４】
前記第一チャネルと前記第二チャネルとの相対的直径が、重力の影響下において、液体が前記ベース部から前記先端部へ流れることを許容しながら、同時に空気が該第二チャネルから該第一チャネルへ流れることを許容するように適応されている、請求項２に記載のキャップ。
【請求項５】
閉塞具またはストッパをさらに有し、前記第二チャネルが、該閉塞具またはストッパによって全体的または部分的に、選択的に塞がれるように形作られている、請求項４に記載のキャップ。
【請求項６】
前記閉塞具またはストッパが、前記第二チャネルへの空気の流入を制御するための、手による操作に適応されている、請求項５に記載のキャップ。
【請求項７】
前記閉塞具またはストッパが、前記側方本体に恒久的に接続されている、請求項５に記載のキャップ。
【請求項８】
前記第二チャネルが、前記閉塞具またはストッパを固定して受容するように形作られている、請求項５に記載のキャップ。
【請求項９】
前記側方本体の軸方向寸法が、前記長手方向軸に対して鈍角に傾斜して延びる、請求項４に記載のキャップ。
【請求項１０】
前記第二チャネルの直径が前記第一チャネルの直径より小さい、請求項１に記載のキャップ。
【請求項１１】
前記第一チャネルと前記第二チャネルとの相対的直径が、重力の影響下において、液体が前記ベース部から前記先端部へ流れることを許容しながら、同時に空気が該第二チャネルから該第一チャネルへ流れることを許容するように適応されている、請求項１に記載のキャップ。
【請求項１２】
閉塞具またはストッパをさらに有し、前記第二チャネルが、該閉塞具またはストッパによって全体的または部分的に、選択的に塞がれるように形作られている、請求項１に記載のキャップ。
【請求項１３】
前記閉塞具またはストッパが、前記第二チャネルへの空気の流入を制御するための、手による操作に適応されている、請求項１２に記載のキャップ。
【請求項１４】
前記閉塞具またはストッパが、前記側方本体に恒久的に接続されている、請求項１２に記載のキャップ。
【請求項１５】
前記第二チャネルが、前記閉塞具またはストッパを固定して受容するように形作られている、請求項１２に記載のキャップ。
【請求項１６】
前記側方本体の軸方向寸法が、前記長手方向軸に対して傾斜して延びる、請求項１に記載のキャップ。
【請求項１７】
閉塞具またはストッパをさらに有し、前記第二チャネルが該閉塞具またはストッパによって全体的または部分的に選択的に塞がれるように形作られている、請求項１６に記載のキャップ。
【請求項１８】
前記閉塞具またはストッパが、前記第二チャネルへの空気の流入を制御するための、手による操作に適応されている、請求項１７に記載のキャップ。
【請求項１９】
前記閉塞具またはストッパが、前記側方本体に恒久的に接続されている、請求項１７に記載のキャップ。
【請求項２０】
前記第二チャネルが、前記閉塞具またはストッパを固定して受容するように形作られている、請求項１７に記載のキャップ。
【請求項２１】
前記キャップは、前記第一平面と直交する第二平面を画定し、該第一平面および該第二平面は、前記長手方向軸を含み、該第二開口部および前記第三開口部は、該第二平面の共通する側にある、請求項１に記載のキャップ。
【請求項２２】
細長本体のベース部における第一開口部から、該細長本体のネック部を通って、該細長本体の先端部における第二開口部へ延びる第一チャネルを画定する該細長本体と、
該細長本体の該ネック部付近にある該第一チャネルから、側方本体の遠位端にある第三開口部へ延びる第二チャネルを画定する該側方本体と
を有するキャップであって、該キャップは、
該ベース部における該第一開口部の中心を通る長手方向軸と、
該第一チャネルと該第二チャネルとを通る第一平面と、
該第一平面と直交する第二平面であって、該第一平面および該第二平面は、該長手方向軸を含む、第二平面と
を画定し、
該第一平面における該細長本体の外側表面の第一部分が、該長手方向軸に対して第一鋭角を形成し、該細長本体の該外側表面の第二部分が、該第一平面内における該側方本体の外側表面に対して第二鋭角を形成し、該第二部分は、該細長本体の該外側表面の該第一部分とは正反対にあり、
該第二開口部および該第三開口部は、該第二平面の共通する側にあり、
該ベース部は、手持ち容器に結合するように適応されている、キャップ。
【手続補正２】
【補正対象書類名】明細書
【補正対象項目名】００１１
【補正方法】変更
【補正の内容】
【００１１】
上記の一般的な説明および以下の詳細な説明はいずれも単に例示的かつ説明的であり、特許請求されている発明の範囲を限定するものではないことが理解されるべきである。
本発明は、例えば、以下を提供する。
（項目１）
細長本体のベース部の開口部から、該細長本体のネック部を通って、該細長本体の先端部の開口部へ延びる第一チャネルを画定する該細長本体と；
該細長本体の該ネック部付近にある該第一チャネルから、側方本体の遠位端の開口部へ延びる第二チャネルを画定する該側方本体と、
を有し、
該先端部の末端は人体の開口部に受容されるように適応された様式で内側に傾き、
該先端部の軸方向寸法は該ネック部の軸方向寸法に対して傾斜して延び、
該ベース部は手持ち容器への該キャップの固定を許容するように適応された接続特徴を備えている、キャップ。
（項目２）
前記第一チャネルが、前記ネック部に対して前記先端部内で縮径を有する、項目１に記載のキャップ。
（項目３）
前記第二チャネルの直径が前記第一チャネルの直径より小さい、項目２に記載のキャップ。
（項目４）
前記第一チャネルと前記第二チャネルとの相対的直径が、重力の影響下において、液体が前記ベース部から前記先端部へ流れることを許容しながら、同時に空気が該第二チャネルから該第一チャネルへ流れることを許容するように適応されている、項目２に記載のキャップ。
（項目５）
閉塞具またはストッパをさらに有し、前記第二チャネルが、該閉塞具またはストッパによって全体的または部分的に、選択的に塞がれるように形作られている、項目４に記載のキャップ。
（項目６）
前記閉塞具またはストッパが、前記第二チャネルへの空気の流入を制御するための、手による操作に適応されている、項目５に記載のキャップ。
（項目７）
前記閉塞具またはストッパが、前記側方本体に恒久的に接続されている、項目５に記載のキャップ。
（項目８）
前記第二チャネルが、前記閉塞具またはストッパを固定して受容するように形作られている、項目５に記載のキャップ。
（項目９）
前記側方本体の軸方向寸法が、前記ネック部の軸方向寸法に対して鈍角に傾斜して延びる、項目４に記載のキャップ。
（項目１０）
前記第二チャネルの直径が前記第一チャネルの直径より小さい、項目１に記載のキャップ。
（項目１１）
前記第一チャネルと前記第二チャネルとの相対的直径が、重力の影響下において、液体が前記ベース部から前記先端部へ流れることを許容しながら、同時に空気が該第二チャネルから該第一チャネルへ流れることを許容するように適応されている、項目１に記載のキャップ。
（項目１２）
閉塞具またはストッパをさらに有し、前記第二チャネルが、該閉塞具またはストッパによって全体的または部分的に、選択的に塞がれるように形作られている、項目１に記載のキャップ。
（項目１３）
前記閉塞具またはストッパが、前記第二チャネルへの空気の流入を制御するための、手による操作に適応されている、項目１２に記載のキャップ。
（項目１４）
前記閉塞具またはストッパが、前記側方本体に恒久的に接続されている、項目１２に記載のキャップ。
（項目１５）
前記第二チャネルが、前記閉塞具またはストッパを固定して受容するように形作られている、項目１２に記載のキャップ。
（項目１６）
前記側方本体の軸方向寸法が、前記ネック部の軸方向寸法に対して傾斜して延びる、項目１に記載のキャップ。
（項目１７）
閉塞具またはストッパをさらに有し、前記第二チャネルが該閉塞具またはストッパによって全体的または部分的に選択的に塞がれるように形作られている、項目１６に記載のキャップ。
（項目１８）
前記閉塞具またはストッパが、前記第二チャネルへの空気の流入を制御するための、手による操作に適応された、項目１７に記載のキャップ。
（項目１９）
前記閉塞具またはストッパが、前記側方本体に恒久的に接続されている、項目１７に記載のキャップ。
（項目２０）
前記第二チャネルが、前記閉塞具またはストッパを固定して受容するように形作られている、項目１７に記載のキャップ。
（項目２１）
空洞を囲み、ベース部から先細りの先端部へ延びる管状体と、
空洞が、該管状体の外側から通過する該管状体に直行する方向に延びるチャネルと、
を有するキャップであって、
該先端部の末端が開口を有し、該開口を通じて該管状体の外側から該空洞へアクセス可能であり、
該ベース部の末端が開口を有し、該開口を通じて該管状体の外側から該空洞へアクセス可能であり、
該管状体の該ベース部が、該ベース部の末端にある該開口と直行する方向に延び、
該管状体の該先端部がベース部に直行する角度に傾斜して延びる；
キャップ。
（項目２２）
前記チャネルに配置された、取り外し可能な閉塞具をさらに有する、項目１に記載の装置。
（項目２３）
細長本体のベース部の開口部から、該細長本体のネック部を通って、該細長本体の先端部へ延びる第一チャネルを画定する細長本体と；
該細長本体の該ネック部付近にある該第一チャネルから、該側方本体の遠位端にある開口部へ延びる第二チャネルを画定する側方本体と、
を有し、
該先端部の軸方向寸法は該ネック部の軸方向寸法に対して傾斜して延び、
該ベース部は前記キャップの手持ち容器への固定を許容するように適応された、接続特徴を有するキャップ。
（項目２４）
前記先端部が、前記ネック部の軸方向寸法に対して、一つより多い角度を固定するような形をとるように適応されている、項目２３に記載のキャップ。